(57)【要約】    【課題】デジタル放送において、特に放送チャネルの切替による画面の一時停止時間に特定情報を提供できるようにした、デジタル放送受信機におけるチャネル切替時の情報出力方法を提供する。    【解決手段】デジタル放送受信機において、そのチャネル切替時に、画面が切り替るまでの間、使用者の選択に応じた代替情報（広告、使用者固有情報または番組案内など）を表示させる。【選択図】図３
2006141030.tif 000002
【特許請求の範囲】
【請求項１】
使用者が選択した代替情報を、チャネル切替時に出力する情報として設定する段階と、
前記代替情報の出力条件を設定する段階と、
前記チャネル切替時に、前記代替情報を前記出力条件に基づいて出力する段階と、
を備えてなることを特徴とする、デジタル放送受信機におけるチャネル切替時の情報出力方法。
【請求項２】
前記代替情報は、広告であることを特徴とする、請求項１に記載のデジタル放送受信機におけるチャネル切替時の情報出力方法。
【請求項３】
前記代替情報は、番組案内であることを特徴とする、請求項１に記載のデジタル放送受信機におけるチャネル切替時の情報出力方法。
【請求項４】
前記番組案内は、前記チャネル切替後のチャネルに対する番組案内であることを特徴とする、請求項３に記載のデジタル放送受信機におけるチャネル切替時の情報出力方法。
【請求項５】
前記番組案内は、前記チャネル切替前のチャネルに対する番組案内であることを特徴とする、請求項３に記載のデジタル放送受信機におけるチャネル切替時の情報出力方法。
【請求項６】
前記番組案内は、前記使用者が当日に視聴した番組の案内であることを特徴とする、請求項３に記載のデジタル放送受信機におけるチャネル切替時の情報出力方法。
【請求項７】
前記代替情報は、前記デジタル放送受信機の機能のうちの前記使用者が選択または設定可能な機能であることを特徴とする、請求項１に記載のデジタル放送受信機におけるチャネル切替時の情報出力方法。
【請求項８】
前記使用者が選択または設定可能な機能は、前記デジタル放送受信機の背景画面であることを特徴とする、請求項７に記載のデジタル放送受信機におけるチャネル切替時の情報出力方法。
【請求項９】
前記背景画面は、静止映像又は動映像であることを特徴とする、請求項８に記載のデジタル放送受信機におけるチャネル切替時の情報出力方法。
【請求項１０】
前記背景画面は、放送事業者から放送信号を介して提供されたものであることを特徴とする、請求項８に記載のデジタル放送受信機におけるチャネル切替時の情報出力方法。
【請求項１１】
前記背景画面は、前記デジタル放送受信機でディスプレイされる映像をキャプチャーしたものであることを特徴とする、請求項８に記載のデジタル放送受信機におけるチャネル切替時の情報出力方法。
【請求項１２】
前記代替情報は、前記使用者の学習又は興味に関連した情報であることを特徴とする、請求項１に記載のデジタル放送受信機におけるチャネル切替時の情報出力方法。
【請求項１３】
前記代替情報は、前記使用者のスケジュールであることを特徴とする、請求項１に記載のデジタル放送受信機におけるチャネル切替時の情報出力方法。
【請求項１４】
前記使用者が前記代替情報を選択することによって、放送事業者から前記代替情報を受信して格納することを特徴とする請求項１に記載のチャネル切替時情報出力方法。
【請求項１５】
前記使用者の要求に応じて、前記代替情報が出力される時間を設定することを特徴とする請求項１に記載のデジタル放送受信機におけるチャネル切替時の情報出力方法。
【発明の詳細な説明】
【技術分野】
【０００１】
本発明は、デジタル放送受信機に関し、特に、放送チャネルの切替による画面の一時停止の間（放送チャネルの切替時）に特定情報を提供することのできる、デジタル放送受信機におけるチャネル切替時の情報出力方法に関する。
【背景技術】
【０００２】
アナログ放送では、その受信機におけるチャネル切替の際に、変更されたチャネルの画面が直ちに出力される。
【０００３】
これに対し、デジタル放送では、その受信機におけるチャネル切替の際に、変更されたチャネルの画面が直ちに出力されず、画面が一時停止する現象が存在する。すなわち、チャネル変更後に、その変更されたチャネルの画面が出るまでのある程度の時間、いわゆるブランク(blank)画面が表示されるのである。このため、従来のデジタル放送受信機においては、使用者（ユーザ）は、チャネル切替時の一定時間、黒(black)の画面での視聴を受け入れなければならなかった。
【０００４】
特に、移動中における放送受信を支援（サポート）するデジタルマルチメディア放送(Digital Multimedia Broadcasting；以下「ＤＭＢ」という)では、受信率を向上させるためにインターリービング法を導入しているが、このインターリービング法の導入によって、チャネル切替時における画面の一時停止現象（ブランク画面の表示時間）はより長くなる。
【０００５】
このようなチャネル切替時における画面の一時停止現象の問題を解決するためには、デジタル放送受信機が全ての放送チャネルの放送信号を同時にデコーディングするようにすればよい。
【発明の開示】
【発明が解決しようとする課題】
【０００６】
しかしながら、そのようなデコーダーを製作することは現実的に不可能である。このため、使用者は、デジタル放送チャネルを切り替える際に、画面の一時停止現象が発生している間、この一時停止現象によって視覚的な不便さを感じることになってしまい、こうした現象（問題）を解決することが望まれてきた。
【０００７】
本発明は、上記問題を解決するためになされたものであり、その目的は、チャネル切替による画面変更（画面切替）時間に、特定情報または広告を出力するのに好適な、デジタル放送受信機におけるチャネル切替時の情報出力方法を提供することにある。
【０００８】
また、本発明の他の目的は、チャネル切替時に、使用者が選択した情報または広告を出力するのに好適な、デジタル放送受信機におけるチャネル切替時の情報出力方法を提供することにある。
【０００９】
本発明のさらに他の目的は、チャネル切替時に、使用者が選択した広告、番組案内及び使用者（又は受信機）に固有の情報（以下「使用者固有情報」という）のうち少なくとも一つを提供するのに好適な、デジタル放送受信機におけるチャネル切替時の情報出力方法を提供することにある。
【課題を解決するための手段】
【００１０】
上記の目的を達成するための本発明は、使用者が選択した代替情報を、チャネル切替時に出力する情報として設定する段階と、前記代替情報（使用者が選択した代替情報）の出力条件を設定する段階と、前記チャネル切替時に、前記代替情報を前記出力条件に基づいて出力する段階と、を備えてなることを特徴とする。つまり、デジタル放送受信機において、そのチャネル切替時に、画面が切り替わるまでの間、使用者の選択（又は設定）に応じた代替情報を表示させるようにしたことを特徴としている。
【００１１】
好ましくは、前記代替情報を広告とする。
【００１２】
好ましくは、前記代替情報を番組案内とする。ここで、かかる番組案内としては、例えば、チャネル切替後のチャネルに対する番組案内、チャネル切替前のチャネルに対する番組案内、又は、使用者が当日（その日）に視聴した番組案内が該当する。
【００１３】
好ましくは、前記代替情報をデジタル放送受信機の機能のうちの使用者が選択または設定可能な機能（の一つ）とする。ここで、かかる使用者が選択または設定可能な機能のとしては、例えば、デジタル放送受信機の背景画面が該当する。
【００１４】
好ましくは、前記代替情報を使用者の学習又は興味に関連した情報とする。
【００１５】
好ましくは、前記代替情報を使用者のスケジュールとする。
【００１６】
好ましくは、使用者が前記代替情報を選択することによって、放送事業者から前記代替情報を受信して格納する。
【００１７】
好ましくは、使用者の要求に応じて、前記代替情報が出力される時間を設定する。
【発明の効果】
【００１８】
本発明によれば、デジタル放送受信機において、チャネル切替時に提供される代替情報（広告、番組案内または使用者固有情報等）が使用者により選ばれるため、チャネル切替時に使用者中心の情報または広告の提供が可能になる。
【００１９】
また、チャネル切替時に、変更されたチャネルの画面が出力されるまでの間に必ず生じていた画面の一時停止現象を認識できなくなるため、使用者は、かかる画面の一時停止現象による視覚的な不便さを感じなくて済む。
【発明を実施するための最良の形態】
【００２０】
以下、本発明の好適な実施形態に係るデジタル放送受信機におけるチャネル切替時の情報出力方法について、添付の図面を参照しつつ詳細に説明する。
【００２１】
本発明の実施形態に係るデジタル放送受信機は、チャネル切替による画面変更時間（画面が切り替わるまでの間）に、広告、番組案内及び使用者固有情報のうちの少なくとも一つをディスプレイする。なお、これら広告、番組案内及び使用者固有情報を本発明では代替情報(substitution information)と言う。
【００２２】
ここで、上記広告としては、例えば、チャネル切替時に、それまでの画面（切替前の画面）がチャネル切替によって次の画面（切替後の画面）に変更されるまでの間に提供される広告（以下「瞬間広告」という）が該当する。
また、上記番組案内としては、例えば、余裕周波数帯域を通じて受信されたり、別の外部装置から入力されたりする電子番組表（ＥＰＧ：Electronic Program Guide）や双方向のＴＶ番組ガイド（ＩＰＧ：Interactive program guide)が該当し、これらもまた、チャネル切替時に、それまでの画面がチャネル切替によって次の画面に変更されるまでの間に提供される。
また、上記使用者固有情報としては、デジタル放送受信機が支援する（サポートする）様々な機能のうちの使用者が選択し又は設定することのできる機能(例えば、デジタル放送受信機における背景画面)に対する使用者の設定（情報）、使用者の学習又は興味に関連した情報、または使用者のスケジュール情報などが該当し、これらもまた、チャネル切替時に、これまでの画面がチャネル切替によって次の画面に変更されるまでの間に提供される。
【００２３】
以下、本発明に適用されるデジタル放送受信機の構成及び動作についてより詳細に説明する。
【００２４】
図１は、本発明に適用されるデジタル放送受信機の構成を示すブロック図である。
【００２５】
図１において、チューナー１０１は、アンテナ１００を介して受信されるデジタル放送信号のうち、使用者が選択したチャネルのデジタル放送信号のみをチューニングした後に放送信号復調部（Broadcasting Signal Demodulator）１０２に出力する。
【００２６】
放送信号復調部１０２は、デジタル放送信号を復調（demodulation）し、音声信号（audio signal）、映像信号（video signal）及びデータ（data）に分離する。
【００２７】
音声復号部（Audio decoder）１１０は、放送信号復調部１０２から出力された音声信号をデコーディングする。
【００２８】
映像復号部（Video decoder）１２０は、放送信号復調部１０２から出力された映像信号をデコーディングする。
【００２９】
デジタル／アナログ変換部（D/A converter）１１１は、音声復号部１１０の出力、すなわち、デジタル音声信号をアナログ音声信号に変換する。そして、スピーカー１１２は、変換されたアナログ音声信号を外部に出力する。
【００３０】
映像処理部（Video manager）１２１は、映像復号部１２０の出力、すなわち、デジタル映像信号をアナログ映像信号に変換し、ディスプレイに適合するフォーマットや大きさに変換する。また、場合によっては、映像処理部１２１は、デジタル信号処理部（Digital Signaling Processor；ＤＳＰ）１４３から入力されるデータを上記変換された映像に挿入させる。そして、モニタ１２２は、映像処理部１２１の出力を外部に出力する。ここで、デジタル信号処理部（ＤＳＰ）１４３から入力されるデータには、本発明による代替情報が含まれる。
【００３１】
データ復号部（Date decoder）１３０は、放送信号復調部１０２から出力されたデータをデコーディングする。
【００３２】
デジタル信号処理部（ＤＳＰ）１４３は、データ復号部１３０の出力をメモリ（memory）１５２に格納し、また、場合によっては、映像処理部（video manager）１２１に出力し、当該データが映像に挿入されるようにする。
【００３３】
ここで、データ復号部１３０の出力にはＥＰＧ、ＩＰＧ、または瞬間広告が含まれる。
【００３４】
また、外部インターフェース(External interface)１５１は、デジタル放送受信機をオンライン外部装置またはオフライン外部装置と連結（接続）させる通路（接続部）としての機能を有している。この外部インターフェース１５１を介して、オンライン外部装置またはオフライン外部装置から、広告、番組案内または使用者固有情報の代替情報が入力される。これら外部装置から入力された代替情報は、メモリ１５２に格納される。
【００３５】
そして、ユーザインターフェース１４２は、いわばリモートコントローラーのようなものであって、使用者は、チャネル切替、ボリューム調整またはデジタル放送受信機の機能設定などのために、かかるユーザインターフェース１４２を操作する。特に、本発明においては、使用者は、チャネル切替時にディスプレイされる代替情報を選択するためにユーザインターフェース１４２を操作する。
【００３６】
情報選択部（Information selector）１４１は、使用者がユーザインターフェース１４２を操作して所定の代替情報（ここでは、広告、番組案内及び使用者固有情報のうちのいずれか一つ）を選択することによって、該当する（すなわち選択した）代替情報を、チャネル切替時にディスプレイするための設定情報をデジタル信号処理部（ＤＳＰ）１４３に伝達（出力）する。デジタル信号処理部（ＤＳＰ）１４３は、入力された設定情報をメモリ１５２に格納する。
【００３７】
次に、このような使用者の要求に応じた代替情報の選択とその出力動作について説明する。
【００３８】
使用者が、ユーザインターフェース１４２を介して代替情報の選択を要求すると、デジタル信号処理部（ＤＳＰ）１４３は、代替情報を選択するための環境、すなわち、代替情報選択のためのメニュー画面などをモニタ１２２に出力する。
【００３９】
その際、出力されたメニュー画面には、チャネル切替時に使用される代替情報の種類として、番組案内、瞬間広告及び使用者固有情報が表示される。そして、これら３種類のうちの一つを使用者がユーザインターフェース１４２を介して選択すると、その選択された種類（選択された代替情報）に対する詳細設定メニュー（出力条件等を設定するためのメニュー）がモニタ１２２に出力される。
【００４０】
使用者が、詳細設定メニューに基づいて、選択した代替情報に対する最終設定を完了すると、情報選択部１４１は、当該設定情報をデジタル信号処理部１４３に伝達（出力）する。続いて、デジタル信号処理部（ＤＳＰ）１４３は、入力された設定情報をメモリ１５２に格納する。
【００４１】
その後、使用者がユーザインターフェース１４２を操作してチャネルを切り替えると、このチャネル切替による画面変更時間（画面が切り替るまでの間）に、使用者が選択した代替情報がモニタ１２２から出力される。この際、出力される代替情報は、使用者が設定した詳細情報（出力条件等）に基づくものである。
【００４２】
次に、使用者が詳細設定メニューで代替情報を詳細に設定する手順を、各代替情報毎（代替情報の種類別）に説明する。
【００４３】
使用者が代替情報として使用者固有情報を選択すると、デジタル信号処理部１４３は、詳細設定メニューを通じて使用者固有情報に属する様々な情報項目をモニタ１２２に出力する。これら情報項目には、デジタル放送受信機の機能のうちの使用者が選択や設定が可能な機能（例えば、背景画面）、使用者の学習又興味に関連した情報、使用者スケジュールなどがある。
【００４４】
これらの使用者固有情報のうち、使用者が選択や設定が可能な機能である背景画面設定機能の例を挙げると、まず、デジタル放送受信機は、静止映像（静止画）、動映像（動画）を含む複数の背景映像を保有している。なお、かかる背景映像は、外部インターフェース１５１を介して入力されたものか、システム放送事業者から放送信号を介して提供されたものか、あるいは、モニタ１２２にディスプレイされる映像処理部１２１の出力の一部（動映像または停静止映像）をキャプチャーしたものであり、メモリ１５２に格納されているものである。
【００４５】
使用者が情報項目のうちの「背景画面」を選択すると、デジタル信号処理部（ＤＳＰ）１４３は、メモリ１５２に格納された複数の背景映像のリストを動映像と静止映像とに区分して提供する。使用者がある背景映像を選択すると、デジタル信号処理部（ＤＳＰ）１４３は、その選択された背景映像に対する設定情報の入力環境を提供する。この場合の設定情報としては、背景映像の解像度、大きさ、フォーマット及び名前などである。そして、かかる設定情報が入力されると、デジタル信号処理部（ＤＳＰ）１４３は、チャネル切替時に出力する映像として使用者が選択した背景映像を設定し、その設定情報をメモリ１５２に格納する。
【００４６】
次に、使用者固有情報のうち、使用者の学習又は興味に関連する情報の例を挙げる。まず、デジタル放送受信機は、使用者が以前に入力した外国語単語帳や時事情報などの、使用者の学習又は興味に関連した情報（デジタル放送受信機の学習機能に基づく情報も含む）を保有している。ここで、外国語単語帳に含まれる単語や時事情報などは、例えば、外部インターフェース１５１を介して入力されたものであるか、放送信号に載せてシステム（放送事業者）から提供されたものであり、メモリ１５２に格納されている。
【００４７】
使用者が情報項目のうちの「使用者の学習又は興味に関連する情報」を選択すると、デジタル信号処理部（ＤＳＰ）１４３は、メモリ１５２に格納された外国語単語帳や時事情報などに対する設定情報の入力環境を提供する。この場合の設定情報としては、外国語単語（または、時事情報）の出力順序（例えば、単語をランダムな順に出力するか、アルファベット順に出力するか、使用者が入力した順に出力するか、あるいは使用頻度が高い順に出力するか）、フォント／フォントサイズ、または１回当たりの個数（１出力毎にディスプレイする単語数または時事問題の個数）などである。そして、かかる設定情報が入力されると、デジタル信号処理部（ＤＳＰ）１４３は、チャネル切替時に出力する情報（使用者の学習又は興味に関連する情報）、すなわち、ここでは外国語単語帳または時事情報の設定情報をメモリ１５２に格納する。
【００４８】
また、使用者が情報項目のうち「使用者スケジュール」を選択すると、デジタル信号処理部（ＤＳＰ）１４３は、使用者スケジュールの新規入力や修正のための設定環境を提供する。この場合の設定情報としては、スケジュール名、スケジュール内容、日付及び時間などである。そして、かかる設定情報が入力されると、デジタル信号処理部（ＤＳＰ）１４３は、チャネル切替時に出力する使用者スケジュールをメモリ１５２に格納する。
【００４９】
なお、上述した情報項目、すなわち、デジタル放送受信機の機能のうちの使用者が選択や設定が可能な機能（例えば、背景画面）、使用者の学習又は興味に関連する情報、使用者スケジュールなどを含む使用者固有情報は、一例に過ぎず、システム設計者や使用者により変更可能である。
【００５０】
一方、使用者が代替情報として番組案内を選択すると、デジタル信号処理部（ＤＳＰ１４３は、保有している番組案内をチャネル切替時に出力するための設定情報をメモリ１５２に格納する。ここで、出力される番組案内としては、切り替えられるチャネル（切替後のチャネル）の最新番組案内であるのが好ましい。また、（出力される）番組案内の詳細情報の例としては、番組放送時間、番組名、あらすじ、登場人物などが挙げられる。さらに、出力される番組案内として、例えば、現在放送中の番組または次に放送する番組に対する詳細情報であるか、あるいは、チャネル切替前に放送された番組に対する詳細情報（例えば、使用者の放送視聴時間、あらすじ、登場人物等）があり、他の番組案内としては、使用者が当日（今日）視聴したチャネルの各番組に対する詳細情報（例えば、使用者のチャネル別番組の視聴履歴）がある。なお、以上説明した番組案内は一例に過ぎず、システム設計者や使用者により変更可能である。
【００５１】
また、使用者が代替情報として瞬間広告を選択すると、デジタル信号処理部（ＤＳＰ）１４３は、保有している広告をチャネル切替時に出力するための設定情報をメモリ１５２に格納する。ここで、このように使用者が代替情報として広告を選択した場合、デジタル信号処理部（ＤＳＰ）１４３は、当該選択の前又は後において、放送事業者が提供する広告を受信して保有し、この保有した広告をチャネル切替時に任意の順で出力する。もちろん、瞬間広告は、オンライン外部装置またはオフライン外部装置からも提供される。
【００５２】
要するに、使用者が、ユーザインターフェース１４２を操作してチャネルを切り替えると、デジタル信号処理部（ＤＳＰ）１４３は、使用者が選択（指定）した設定情報と該当する代替情報とをメモリ１５２から読み取り、該代替情報をその設定情報（出力条件等）に基づいてモニタ１２２から出力するのである。
【００５３】
より具体的には、デジタル信号処理部（ＤＳＰ）１４３は、チャネル切替時に、切り替えられた（切替後の）チャネルの画面が出力される時点まで（使用者が選択した）代替情報を出力する。
【００５４】
なお、チャネル切替時に代替情報をディスプレイするに当たり、本発明では、使用者が選択した代替情報を、使用者が任意に設定した時間又は期間（すなわち、単なるチャネル切替時間でない時間）、ディスプレイすることも可能である。すなわち、本発明のデジタル放送受信機では、使用者の要求に応じて、チャネル切替時に代替情報が出力される時間（期間）を設定することも可能である。
【００５５】
さらに、本発明（に係るデジタル放送受信機）では、使用者がチャネル切替時に代替情報のディスプレイ時間を使用者の望む通りに変更するように支援する（サポートする）ことも可能である。したがって、代替情報のディスプレイ時間がチャネル切替期間よりも大きく設定されるような場合には、デジタル信号処理部（ＤＳＰ）１４３は、チャネル切替期間を、（代替情報のディスプレイ時間が確保できるように）該当する時間だけ遅延（延長）させることができる。
【００５６】
ここで、図１の構成に基づいてチャネル切替時に出力する代替情報の種類を選択する手順と、使用者が選択した代替情報を出力する手順について説明する。
【００５７】
まず、図２は、本発明の一実施形態によるチャネル切替時に出力する代替情報の種類を選択する手順を示すフローチャートである。
【００５８】
図２において、使用者が、チャネル切替時に出力する代替情報を選択するためにユーザインターフェースを操作すると、デジタル信号処理部（ＤＳＰ）は、代替情報選択のための環境、すなわち、チャネル切替時の代替情報選択のためのメニューを実行させる（Ｓ１０）。
【００５９】
これにより、代替情報選択のためのメニュー画面がモニタに出力される。このとき、メニュー画面には、チャネル切替時に出力される代替情報の種類として、瞬間広告、番組案内及び使用者固有情報が表示される。なお、上述したように、これら代替情報の種類は一例に過ぎず、メニュー設計者やシステム設計者により変更可能である。
【００６０】
続いて、使用者が、実行されたメニューからチャネル切替時に出力する代替情報の種類を一つ選択すると（Ｓ１１）、デジタル信号処理部は、選択された種類に対する詳細設定メニューを実行させる（Ｓ１２、Ｓ１３またはＳ１４）。
【００６１】
使用者が詳細設定メニューから代替情報に対する出力条件を最終的に設定すると、デジタル信号処理部は、それに関する設定情報を格納する（Ｓ１５）。
【００６２】
図３は、本発明の一実施形態によるチャネル切替時に使用者が選択した代替情報を出力する手順を示す図である。
【００６３】
図３において、代替情報に関する設定情報が格納された後に、使用者がユーザインターフェースを操作しチャネルを切り替えると（Ｓ２０）、デジタル信号処理部（ＤＳＰ）は、使用者が以前に選択しておいた代替情報を検索し、且つ該代替情報の設定情報をチェックする（Ｓ２１）。
【００６４】
続いて、使用者が選択した代替情報を、その設定情報に基づいてディスプレイする（Ｓ２２、Ｓ２３またはＳ２４）。
【００６５】
より詳しくは、使用者が代替情報として瞬間広告を選択した場合は、デジタル信号処理部は、現在保有している様々な瞬間広告（選択前から保有しているもの及び／又は選択後に保有するもの）のうち一つをディスプレイする（Ｓ２２）。
【００６６】
また、使用者が代替情報として番組案内を選択した場合には、ＥＰＧやＩＰＧから下記の例のうち一つをディスプレイする（Ｓ２３）。
【００６７】
１．チャネル切替後のチャネルの最新番組案内（番組放送時間、番組名、あらすじ、登場人物等）
２．チャネル切替前のチャネルの最新番組案内（番組放送時間、番組名、あらすじ、登場人物等）
３．使用者が当日（その日）に視聴したチャネルの各番組に関する詳細情報案内（例えば、使用者のチャネル別番組の視聴履歴）
４．全体放送チャネルの番組案内
【００６８】
なお、これら番組案内は、一例に過ぎないもので、システム設計者や使用者により変更可能である。
【００６９】
また、使用者が代替情報として使用者固有情報を選択した場合には、デジタル信号処理部は、使用者固有情報に属する様々な情報項目をディスプレイする（Ｓ２４）。これら情報項目には、デジタル放送受信機の機能のうちの使用者が選択又は設定可能な機能（例えば、背景画面）、使用者の学習又は興味に関連する情報、使用者のスケジュールなどがあり、これらについての詳細説明は既に詳述したので省略する。
【００７０】
ところで、本発明の説明で使用される用語（terminology）は、本発明における機能を考慮して定義されたもので、これらは、当分野に従事する技術者の意図または慣例などによって異なることもあるので、その定義は、本発明の全般にわたる内容に基づいて下されるべきである。
【００７１】
また、以上では具体的な実施形態に基づいて本発明を説明してきたが、本発明は、上記の具体例に限定されず、本発明の技術思想を逸脱しない範囲内で多様な変更及び修正が可能であることは、当分野で通常の知識を持つ者にとっては明らかである。
【００７２】
従って、本発明の技術的範囲は、明細書中の詳細な説明に記載された内容により限定されるものではなく、特許請求の範囲とそれに均等なものにより定められるべきである。
【図面の簡単な説明】
【００７３】
【図１】本発明に適用されるデジタル放送受信機の構成を示すブロック図である
【図２】本発明の一実施形態による、チャネル切替時に、出力する代替情報の種類を選択する手順を示すフローチャートである。
【図３】本発明の一実施形態による、チャネル切替時に、使用者が選択した代替情報を出力する手順を示すフローチャートである。
【符号の説明】
【００７４】
１０１  チューナー
１０２  放送信号復調部(Broadcasting Signal Demodulator)
１１０  音声復号部(Audio decoder)
１１１  デジタル／アナログ変換部(D/A converter)
１１２  スピーカー
１２０  映像復号部(Video decoder)
１２１  映像処理部(Video manager)
１２２  モニタ
１３０  データ復号部(Date decoder)
１４１  情報選択部(Information selector)
１４２  ユーザインターフェース
１４３  デジタル信号処理部(Digital Signaling Processor)
１５１  外部インターフェース
１５２  メモリ
【図１】
2006141030.tif 000003
【図２】
2006141030.tif 000004
【図３】
2006141030.tif 000005